(57)【特許請求の範囲】
【請求項１】
セルの基地局を経由した情報を解析し、その情報から前記セル内のユーザの共通話題を共通キーワードとして抽出する抽出手段と、
予め登録された前記セルの設置場所に応じたキーワードを記憶する記憶手段と、
前記抽出手段によって抽出された前記共通キーワードに前記場所に応じたキーワードを組み合わせて、前記セル内のユーザの共通話題に場所の特性を関連付けた話題情報を作成する作成手段と、
前記作成手段によって作成された前記話題情報を前記セル内の通信端末に送信する送信手段と、
を備えたことを特徴とする情報提供システム。
【請求項２】
セルの基地局を経由した情報を解析し、その情報から前記セル内のユーザの共通話題を共通キーワードとして抽出する抽出手段と、
予め登録された前記セルの設置場所に応じたキーワード及び当該キーワードに関連する関連情報を記憶する記憶手段と、
前記抽出手段によって抽出された前記共通キーワードに、前記場所に応じたキーワードに関連する関連情報の中から、前記共通キーワードに関係する前記関連情報を組み合わせて、前記セル内のユーザの共通話題に場所の特性を関連付けた話題情報を作成する作成手段と、
前記作成手段によって作成された前記話題情報を前記セル内の通信端末に送信する送信手段と、
を備えたことを特徴とする情報提供システム。
【請求項３】
前記セルはフェムトセルであることを特徴とする請求項１又は２に記載の情報提供システム。
【請求項４】
前記抽出手段は、前記セル内の通信端末からアクセスのあったＷｅｂサイトの履歴情報、又は前記セル内の通信端末から送信されたメールの文字履歴情報を解析し、前記共通キーワードを抽出することを特徴とする請求項１乃至３のいずれか１項に記載の情報提供システム。
【請求項５】
前記抽出手段は、前記セル内の通信端末のＧＰＳによる位置情報、電子マネーによる購買情報、ワンセグの視聴履歴、或いはダウンロードした音楽データ、動画データを解析し、前記共通キーワードを抽出することを特徴とする請求項１乃至４のいずれか１項に記載の情報提供システム。
【請求項６】
抽出手段により、セルの基地局を経由した情報を解析し、その情報から前記セル内のユーザの共通話題を共通キーワードとして抽出する工程と、
作成手段により、前記抽出された前記共通キーワードに予め記憶手段に登録された前記セルの設置場所に応じたキーワードを組み合わせて、前記セル内のユーザの共通話題に場所の特性を関連付けた話題情報を作成する工程と、
送信手段により、前記作成された前記話題情報を前記セル内の通信端末に送信する工程と、
を含むことを特徴とする情報提供方法。
【請求項７】
抽出手段により、セルの基地局を経由した情報を解析し、その情報から前記セル内のユーザの共通話題を共通キーワードとして抽出する工程と、
予め記憶手段に前記セルの設置場所に応じたキーワード及び当該キーワードに関連する関連情報が登録されており、
作成手段により、前記抽出された前記共通キーワードに、前記場所に応じたキーワードに関連する前記関連情報の中から、前記共通キーワードに関係する前記関連情報を組み合わせて、前記セル内のユーザの共通話題に場所の特性を関連付けた話題情報を作成する工程と、
送信手段により、前記作成された前記話題情報を前記セル内の通信端末に送信する工程と、
を含むことを特徴とする情報提供方法。
【請求項８】
前記セルはフェムトセルであることを特徴とする請求項６又は７に記載の情報提供方法。
【請求項９】
前記抽出手段は、前記セル内の通信端末からアクセスのあったＷｅｂサイトの履歴情報、又は前記セル内の通信端末から送信されたメールの文字履歴情報を解析し、前記共通キーワードを抽出することを特徴とする請求項６乃至８のいずれか１項に記載の情報提供方法。
【請求項１０】
前記抽出手段は、前記セル内の通信端末のＧＰＳによる位置情報、電子マネーによる購買情報、ワンセグの視聴履歴、或いはダウンロードした音楽データ、動画データを解析し、前記共通キーワードを抽出することを特徴とする請求項６乃至９のいずれか１項に記載の情報提供方法。
【請求項１１】
コンピュータを、
セルの基地局を経由した情報を解析し、その情報から前記セル内のユーザの共通話題を共通キーワードとして抽出する抽出手段と、
前記抽出された前記共通キーワードに予め記憶手段に登録された前記セルの設置場所に応じたキーワードを組み合わせて、前記セル内のユーザの共通話題に場所の特性を関連付けた話題情報を作成する作成手段と、
前記作成された前記話題情報を前記セル内の通信端末に送信する送信手段と、
して機能させるためのプログラム。
【請求項１２】
コンピュータを、
セルの基地局を経由した情報を解析し、その情報から前記セル内のユーザの共通話題を共通キーワードとして抽出する抽出手段と、
予め記憶手段に前記セルの設置場所に応じたキーワード及び当該キーワードに関連する関連情報が登録されており、前記抽出された前記共通キーワードに、前記場所に応じたキーワードに関連する関連情報の中から、前記共通キーワードに関係する前記関連情報を組み合わせて、前記セル内のユーザの共通話題に場所の特性を関連付けた話題情報を作成する作成手段と、
前記作成手段によって作成された前記話題情報を前記セル内の通信端末に送信する送信手段と、
して機能させるためのプログラム。
【発明の詳細な説明】
【技術分野】
【０００１】
本発明は、同じセル内の通信端末にユーザの共通話題を提供する情報提供システム及び方法、特に、フェムトセルシステムに好適な情報提供システム及び方法に関するものである。
【背景技術】
【０００２】
従来、一定領域内の情報を他のユーザに知らせる方法としては、例えば、特許文献１に記載の方法がある。特許文献１の方法は、基地局がセル内の複数のユーザ端末からセル内の各種情報を受信し、その情報を加工してセル内のユーザ端末に送信する。その際、利用者はセル内の基地局を伝言板や掲示板として用い、セル内の店情報、道路情報等を基地局に送信すると記載されている。
【０００３】
また、その他に特許文献２には、デパート等で顧客の来店時にユーザ登録及び位置登録を行い、デパートの混雑しているレストラン等の情報を配信し、顧客の他店舗への誘導を促すことが記載されている。更に、特許文献３には、利用者が携帯電話機で指定した放送内容の関連情報をデータベースから抽出し、利用者のメールアドレスに送信することが記載されている。
【先行技術文献】
【特許文献】
【０００４】
【特許文献１】特開２００２−２８１５５４号公報
【特許文献２】特開２００４−８６７６２号公報
【特許文献３】特開２００５−２２２３６９号公報
【発明の概要】
【発明が解決しようとする課題】
【０００５】
特許文献１に記載された方法は、セル内の「例えば、店Ａの料理Ｂはおいしい」等のユーザからの情報をセル内の他のユーザ端末に送信するものであり、単にセル内のユーザの情報を他のユーザに知らせるに留まっている。
【０００６】
また、特許文献２の方法はデパート等の特定地域内で店舗の混雑情報等を提供するものであり、特許文献３の方法は利用者から指定された放送内容の関連情報を利用者に送信するものである。このように特許文献１乃至３に記載された方法は、単に情報をユーザに提供するものであり、複数ユーザの情報解析等を行い、その結果に基づいて情報を提供するものではない。
【０００７】
本発明の目的は、ユーザが興味をひきそうな情報を共通キーワードとしてセル内のユーザに提供し、複数のユーザ間の話題活性化を行うことが可能な情報提供システム及びその方法を提供することにある。
【課題を解決するための手段】
【０００８】
本発明の第１の観点によれば、セルの基地局を経由した情報を解析し、その情報から前記セル内のユーザの共通話題を共通キーワードとして抽出する抽出手段と、予め登録された前記セルの設置場所に応じたキーワードを記憶する記憶手段と、前記抽出手段によって抽出された前記共通キーワードに前記場所に応じたキーワードを組み合わせて、前記セル内のユーザの共通話題に場所の特性を関連付けた話題情報を作成する作成手段と、前記作成手段によって作成された前記話題情報を前記セル内の通信端末に送信する送信手段と、を備えたことを特徴とする情報提供システムが提供される。
また、本発明の第２の観点によれば、セルの基地局を経由した情報を解析し、その情報から前記セル内のユーザの共通話題を共通キーワードとして抽出する抽出手段と、予め登録された前記セルの設置場所に応じたキーワード及び当該キーワードに関連する関連情報を記憶する記憶手段と、前記抽出手段によって抽出された前記共通キーワードに、前記場所に応じたキーワードに関連する関連情報の中から、前記共通キーワードに関係する前記関連情報を組み合わせて、前記セル内のユーザの共通話題に場所の特性を関連付けた話題情報を作成する作成手段と、前記作成手段によって作成された前記話題情報を前記セル内の通信端末に送信する送信手段と、を備えたことを特徴とする情報提供システムが提供される。
更に、本発明の第３の観点によれば、抽出手段により、セルの基地局を経由した情報を解析し、その情報から前記セル内のユーザの共通話題を共通キーワードとして抽出する工程と、作成手段により、前記抽出された前記共通キーワードに予め記憶手段に登録された前記セルの設置場所に応じたキーワードを組み合わせて、前記セル内のユーザの共通話題に場所の特性を関連付けた話題情報を作成する工程と、送信手段により、前記作成された前記話題情報を前記セル内の通信端末に送信する工程と、を含むことを特徴とする情報提供方法が提供される。
更に、本発明の第４の観点によれば、抽出手段により、セルの基地局を経由した情報を解析し、その情報から前記セル内のユーザの共通話題を共通キーワードとして抽出する工程と、予め記憶手段に前記セルの設置場所に応じたキーワード及び当該キーワードに関連する関連情報が登録されており、作成手段により、前記抽出された前記共通キーワードに、前記場所に応じたキーワードに関連する前記関連情報の中から、前記共通キーワードに関係する前記関連情報を組み合わせて、前記セル内のユーザの共通話題に場所の特性を関連付けた話題情報を作成する工程と、送信手段により、前記作成された前記話題情報を前記セル内の通信端末に送信する工程と、を含むことを特徴とする情報提供方法が提供される。
更に、本発明の第５の観点によれば、コンピュータを、セルの基地局を経由した情報を解析し、その情報から前記セル内のユーザの共通話題を共通キーワードとして抽出する抽出手段と、前記抽出された前記共通キーワードに予め記憶手段に登録された前記セルの設置場所に応じたキーワードを組み合わせて、前記セル内のユーザの共通話題に場所の特性を関連付けた話題情報を作成する作成手段と、前記作成された前記話題情報を前記セル内の通信端末に送信する送信手段と、して機能させるためのプログラムが提供される。
更に、本発明の第６の観点によれば、コンピュータを、セルの基地局を経由した情報を解析し、その情報から前記セル内のユーザの共通話題を共通キーワードとして抽出する抽出手段と、予め記憶手段に前記セルの設置場所に応じたキーワード及び当該キーワードに関連する関連情報が登録されており、前記抽出された前記共通キーワードに、前記場所に応じたキーワードに関連する関連情報の中から、前記共通キーワードに関係する前記関連情報を組み合わせて、前記セル内のユーザの共通話題に場所の特性を関連付けた話題情報を作成する作成手段と、前記作成手段によって作成された前記話題情報を前記セル内の通信端末に送信する送信手段と、して機能させるためのプログラムが提供される。
【発明の効果】
【００１０】
本発明によれば、セル内の複数のユーザに対して、現在、互いに興味のある共通キーワード（共通の話題）を提供することにより、セル内の複数ユーザの話題活性化を行うことができる。また、セルの設置場所に応じたキーワードを登録し、共通キーワードに場所に応じたキーワードを組み合わせて情報を提供することにより、提供する情報に多様性を持たせることができる。
【００１１】
特に、フェムトセルは半径数１０ｍ程度の小さな範囲の通信エリアであり、フェムトセル圏内に存在するユーザ同士は比較的近くにいることから、本発明はフェムトセルに好適に用いることができる。
【図面の簡単な説明】
【００１２】
【図１】本発明に係る情報提供システムの一実施形態を示すブロック図である。
【図２】本発明の実施例を示すブロック図である。
【図３】図２の実施例の動作シーケンスを示す図である。
【図４】図２の実施例の共通話題としての共通キーワードや場所に応じた情報を組み合わせた情報の表示例を示す図である。
【発明を実施するための形態】
【００１３】
次に、発明を実施するための形態について図面を参照して詳細に説明する。まず、携帯電話機の電波強度が弱く通信接続できないエリアを補う技術としてフェムトセルが知られている。そこで、本願発明者はフェムトセル圏内に存在するユーザ同士が比較的近くにいることから、互いに興味のある共通キーワード（共通話題）をシステム側から提供することにより、ユーザ間で話題活性化ができると考えたのである。
【００１４】
また、フェムトセルはアクセスポイントを容易に設置できることから、設置場所に応じたキーワードを登録し、共通キーワードと組み合わせた情報を提供することにより、更に有益情報を提供できると考えたのである。もちろん、本発明は、フェムトセルは比較的狭い範囲を通信エリアとしているため、フェムトセルシステムに好適に用いることは可能であるが、フェムトセルに限ることはない。
【００１５】
図１は本発明に係る情報提供システムの一実施形態の構成を示すブロック図である。図１ではフェムトセル圏内に１つの携帯端末（通信端末）を示しているが、その他に複数の携帯端末が存在している。上述のように電波強度が弱く通信接続できないエリアを補う技術としてフェムトセルが知られているが、本実施形態ではこのフェムトセルシステムに本発明を使用した場合の例を説明する。
【００１６】
まず、図１に示すフェムトセル構成とは、フェムトセル２３０の環境を構築するための小型基地局をいう。また、本発明の追加構成１００として示すブロックは、そのフェムトセル環境を構築するための小型基地局に新たに追加した構成であり、フェムトセル基地局のその他の構成は省略する。
【００１７】
図中２３０はフェムトセル圏内を示す。１０１は各ユーザのフェムトセルを通したＷｅｂページ閲覧履歴、メーラへの文字入力履歴等から共通キーワードを共通興味情報（共通話題）として抽出する共通情報抽出部である。共通情報抽出部１０１は後述するようにＷｅｂページ閲覧履歴やメーラへの文字入力履歴等を解析し、その解析結果に基づいて共通キーワードを抽出する解析部１０８を有する。
【００１８】
１０２はフェムトセルではアクセスポイントを容易に設置できることから予め登録された場所に応じたキーワード（例えば、コンビニエンスストア等）を記憶する場所情報（データベース）、１０３は抽出された共通キーワードをフェムトセル２３０圏内の携帯端末に送信表示する表示部である。
【００１９】
１０４はフェムトセル２３０圏内の携帯端末であり、待ち受け部１０５、ブラウザ１０６、メーラ１０７等を有する。携帯端末１０４の構成は周知であるので図１ではその他の構成は省略している。また、フェムトセル２３０圏内には、その他に多数の携帯端末が存在しているものとする。携帯端末１０４のブラウザ１０６、メーラ１０７はルーティング機能（ルーター）２３１を介してセル基地局の共通情報抽出部１０１に接続することが可能である。また、ルーティング機能２３１はインターネット２３２にアクセス可能である。
【実施例】
【００２０】
図２は図１の構成を詳細に示すブロック図である。図２では図１と同一部分には同一符号を付している。図２に示すようにフェムトセル２３０内の基地局にインターネット２３２にアクセスするルーティング機能２３１、本発明の追加構成である共通情報抽出部１０１、表示部１０３、場所情報１０２が配置されている。
【００２１】
また、フェムトセル２３０内にはユーザ２１０、ユーザ２２０及びそのユーザが所有する携帯端末２１１、携帯端末２２１が存在するものとする。２１２及び２２２は「新型インフルエンザ」に関するサイトであり、携帯端末２１０、２２０等からルーティング機能２３１を介して閲覧することが可能である。
【００２２】
ここで、フェルトセル２３０圏内のユーザ２１０が自己の携帯端末２１１からルーティング機能２３１を通じてサイト２１２にアクセスし、「新型インフルエンザ」に関するサイト２１２を閲覧したものとする。また、同じユーザ２１０は自己の携帯端末２１１からフェムトセル圏内の他の携帯端末（又はフェムトセル圏外の携帯端末）に「新型インフルエンザで休校になった。」旨のメール２１３を送信したものとする。
【００２３】
また、フェムトセル圏内のユーザ２２０は自己の携帯端末２２１からルーティング機能２３１を通じてサイト２２２にアクセスし、「新型インフルエンザ」に関するサイト２２２を閲覧したものとする。また、同じユーザ２２０は自己の携帯端末２２１からフェムトセル圏内の他の携帯端末（又はフェムトセル圏外の携帯端末）に「新型インフルエンザは危険である」旨のメール２２３を送信したものとする。
【００２４】
図３はその場合の動作シーケンスを示す。共通情報抽出部１０１は、フェムトセル２３０圏内からアクセスのあったＷｅｂページやメール情報を取得する。つまり、フェムトセル２３０の基地局を経由したＷｅｂページ、メール情報等を取得し、共通情報抽出部１０１の解析部１０８はその情報を解析することで、フェムトセル内のユーザ間の共通話題を共通キーワードとして抽出する。
【００２５】
図２の例では、携帯端末２１１、２２１からアクセスしたサイト２１２、２２２のテキスト情報や携帯端末２１１、２２１から送信されたメール２１３、２２３のテキスト情報が該当し、共通情報抽出部１０１内の解析部１０８はこれらサイト２１２、２２２のテキスト情報やメール２１３、２２３のテキスト情報を解析し、「新型インフルエンザ」を現時点のフェムトセル２３０圏内の共通キーワードとして抽出する。
【００２６】
その場合、例えば、解析部１０８はＷｅｂページに記載されているＨＴＭＬテキスト、或いはメールに記載されている文（ユーザが入力した文字列）から形態素解析等の自然言語処理を行い、高頻度で使用される単語を共通キーワードとして抽出する。なお、共通情報抽出部１０１は所定時間内に一定値以上同じ単語（例えば新型インフルエンザ等）があった時に共通キーワードとして抽出する。例えば、一時間内に５回以上、或いは１０回以上同じ単語を抽出したら共通キーワードとして抽出する。
【００２７】
この抽出された共通キーワードを表示部１０３へ送信し、表示部１０３からフェムトセル２３０圏内の各ユーザ２１０、２２０の携帯端末２１１、２２１へ送信することで、共通キーワード「新型インフルエンザ」に関する表示を行う。図４（ａ）はその場合の携帯端末の表示例３０１を示す。図４（ａ）の例では、「この付近にいる人との共通話題は「新型インフルエンザ」です。」の表示を行い、現在の共通話題をフェムトセル圏内のユーザに提供することで、ユーザ間の話題活性化を行うことが可能となる。
【００２８】
次に、本発明の他の実施例を説明する。本実施例では、フェムトセル２３０が設置されている場所に応じて場所情報（データベース）１０２内に予めその場所に応じたキーワード（場所の関連情報）を登録しておき、上述のような共通話題としての「共通キーワード」に「場所に応じたキーワード」を組み合わせることで、より多様化した情報をユーザに提供するものである。
【００２９】
例えば、図２に示すようにフェムトセルの設置場所が「喫煙所」であるとし、場所に応じたキーワードとして「喫煙所」を登録したものとする。また、他の例としてフェムトセルの設置場所が「コンビニエンスストア」であるとし、場所に応じたキーワードとして「コンビニ」を登録したものとする。
【００３０】
その際、場所に応じたキーワードが「喫煙所」だった場合には、例えば、図４（ｂ）に示すように「喫煙者は特に新型インフルエンザに注意を」という、場所情報からの表示３０２をフェムトセル圏内の各ユーザの携帯端末に表示する。また、場所に応じたキーワードが「コンビニ」だった場合には、例えば、図４（ｃ）に示すように「新型インフルエンザの予防のためにマスクを！今なら半額」という表示３０３を、同様にフェムトセル圏内の各ユーザの携帯端末に表示する。
【００３１】
ここで、「共通キーワード」に「場所に応じたキーワード」を組み合わせた情報を提供する場合には、予め場所情報に関連する情報を場所情報（データベース）１０２に登録しておく。例えば、場所に応じたキーワードが「喫煙所」の場合には、それに関連する情報、例えば、「健康被害」、「喫煙」、「禁煙」、「自動販売機」、「未成年は喫煙禁止」、「タスポ」、…、等の関連情報を登録しておく。
【００３２】
共通情報抽出部１０１の解析部１０８は、共通キーワードである「新型インフルエンザ」に対して、登録された関連情報の中にヒットする関連情報、即ち、「新型インフルエンザ」に関係する関連情報があるか否かを判定する。この例の場合には、共通キーワードである「新型インフルエンザ」に対して、「健康被害」や「喫煙」がヒットすると判定し、図４（ｂ）に示すように「喫煙者は特に新型インフルエンザに注意を」という情報をセル内のユーザの携帯端末に送信する。
【００３３】
その際、予め「共通キーワード」に対して、「場所に応じたキーワード」に該当する関連情報の中から関係する情報を決めておく。例えば、「新型インフルエンザ」、「風邪」、「インフルエンザ」等の共通キーワードが抽出された場合には、「健康被害」や「喫煙」が関係すると決めておき、これら共通キーワードに関係する「健康被害」や「喫煙」を関連付けて、例えば、「喫煙者は特に新型インフルエンザに注意を」の文を作成する。また、この定型文を場所情報１０２に予め登録しておいても良い。
【００３４】
また、場所に応じたキーワードが「コンビニ」の場合には、それに関連する情報、例えば、「弁当、おにぎり、サラダ、ジュース、お茶、牛乳、菓子、マスク、…、等の各種商品情報」、「割引情報」、「２４時間営業」、…、等の関連情報を登録しておく。解析部１０８は、同様に共通キーワードである「新型インフルエンザ」に対して、登録された関連情報の中にヒットする関連情報があるか否かを判定する。
【００３５】
この例の場合には、共通キーワードである「新型インフルエンザ」に対して「マスク」がヒットすると判定し、図４（ｃ）に示すように「新型インフルエンザの予防のためにマスクを！今なら半額」という情報をセル内のユーザの携帯端末に送信する。「今なら半額」はなくても良い。
【００３６】
その際、同様に予め「共通キーワード」に対して、「場所に応じたキーワード」に該当する関連情報の中から関係する情報を決めておく。例えば、「新型インフルエンザ」、「風邪」、「インフルエンザ」等の共通キーワードが抽出された場合には、「マスク」が関係すると決めておき、これら共通キーワードに関係する「マスク」を関連付けて、例えば、「新型インフルエンザの予防のためにマスクを」いう文を作成する。また、この定型文を場所情報１０２に予め登録しておいても良い。
【００３７】
以上のように本実施形態では、フェムトセル内の複数のユーザに対して、現在、互いに興味のある共通キーワード（共通話題）を提供するため、フェムトセル内の複数のユーザ間の話題活性化を行うことができる。また、セルの設置場所に応じたキーワードを登録しておき、共通キーワードと場所に応じたキーワードを組み合わせて情報を提供することにより、場所の特性を合わせた有益情報を提供でき、ユーザに提供する情報に多様性を持たせることができる。
【００３８】
以上の実施形態では、フェムトセルシステムに本発明を適用した例を説明したが、本発明はこれに限ることなく、一般の移動体通信システム等にも使用することができる。その際、フェムトセルに比べて通信エリアは広くなるが、本発明は通信エリア内のユーザ間の話題活性化に寄与することが可能となる。
【００３９】
また、以上の実施形態では、Ｗｅｂページ閲覧履歴、メーラへのテキスト情報を共通キーワードを抽出するための対象データとしたが、本発明はこれに限ることはない。例えば、携帯端末のＧＰＳによる位置情報、フェリカ（電子マネー）による購買情報、ワンセグの視聴履歴、或いはダウンロードした音楽データ、動画データ等を共通キーワードを抽出するための対象データとしても良い。
【００４０】
なお、以上の実施形態の情報提供システムは、ハードウェアによっても実現することができるが、コンピュータをその情報提供システムとして機能させるためのプログラムをコンピュータがコンピュータ読み取り可能な記録媒体から読み込んで実行することによっても実現することができる。また、以上の実施形態の情報提供方法は、ハードウェアによっても実現できるが、コンピュータにその方法を実行させるためのプログラムをコンピュータがコンピュータ読み取り可能な記録媒体から読み込んで実行することによっても実現することができる。
【符号の説明】
【００４１】
１００  本発明による追加構成
１０１  共通情報抽出部
１０２  場所情報（データベース）
１０３  表示部
１０４  携帯端末
１０５  待ち受け部
１０６  ブラウザ
１０７  メーラ
１０８  解析部
２１０、２２０  ユーザ
２１１、２２１  携帯端末
２１２、２２２  サイト
２１３、２２３  メール
２３０  フェムトセル
２３１  ルーティング機能
２３２  インターネット
【図１】
0005495171.tif 000002
【図２】
0005495171.tif 000003
【図３】
0005495171.tif 000004
【図４】
0005495171.tif 000005